(57)【特許請求の範囲】
【請求項１】
本体に挿入されたカードに記録されている磁気データを読み取る磁気情報読取部と、
前記本体に挿入されたカードを搬送するカード搬送部と、
前記本体の前面部に設置されたカード挿入口ユニットと、
を含む磁気読取装置であって、
前記カード挿入口ユニット内に、前記本体の前面に形成された挿入口の周囲を囲むループ状のアンテナと前記ループ状のアンテナから放射される磁界の特性を変化させる部材とが設けられ、
前記カード挿入口ユニット内に設けた部材は、前記ループ状のアンテナから前記磁気読取装置の内部方向に放射される磁界を吸収するとともに、前記ループ状のアンテナから前記挿入口の前面側に放射される磁界を大きくするものであって、前記挿入口の周囲を囲み、前記ループ状のアンテナの前記磁気情報読取部側を覆う形状をしていること特徴とする磁気読取装置。
【発明の詳細な説明】
【技術分野】
【０００１】
本発明は、磁気情報記録媒体の磁気データ不正読み取り防止機能を備え、磁気情報記録
媒体の磁気データを読取る磁気読取装置に関する。
【背景技術】
【０００２】
現金自動支払機（以下、ＣＤ（Cash  Dispenser）と称す）や現金自動預け払機（以下
、ＡＴＭ（Automated  Teller  Machine）と称す）などの現金取引処理装置や、さらには
カードや通帳など磁気情報が記録された媒体を利用して取引処理を行なう取引処理端末に
おいて、磁気ヘッドを備えた不正磁気読取装置を、元々の磁気読取装置の磁気情報記録媒
体の挿入口に被せるように設置して、磁気ストライプの磁気情報を不正に取得するスキミ
ングと呼ばれる犯罪Ａがある。この対策として、取り付けられた不正磁気読取装置を検出
する対策１、磁気情報記録媒体を間欠的に駆動して取込み、返却することによって不正磁
気読取装置による磁気データの読み取りを困難にする対策２、磁界によって不正磁気読取
装置を機能しないようにする対策３などの種々の技術が公開されている。
【０００３】
このような技術の１つとして、磁気カード挿入・排出用のカードスロットの外側部分の
領域に磁界を発生させ、不正磁気読取装置を妨害する磁気カード取引装置がある（例えば
、特許文献１参照）。この磁気カード取引装置では、カードスロット外側に不正に磁気ヘ
ッドが取り付けられたとしても、磁界発生手段による妨害磁界によって、不正な磁気ヘッ
ドを用いて挿入あるいは排出される磁気カードが読取られてしまうことを阻止することが
できる。
【０００４】
また、磁気情報記録媒体の挿入口周囲にループアンテナを設置し、挿入口前方の磁気情
報読み取りを妨害する磁気読取装置がある（特許文献２参照）。この磁気読取装置では、
磁気情報記録媒体の周囲を取り囲むように取り付けられたループアンテナと、ループアン
テナから磁界を発生させるための発振器と、挿入口に挿入された磁気情報記録媒体を検出
する媒体検出センサとを備え、媒体検出センサが磁気情報記録媒体を検出した場合に、発
振器がループアンテナから磁界を発生させることにより、挿入口の前方における磁気情報
記録媒体の磁気データ読み取りを妨害することができる。
【先行技術文献】
【特許文献】
【０００５】
【特許文献１】特開２００１−６７５２４号公報
【特許文献２】特開２００５−２６６９９９号公報
【発明の概要】
【発明が解決しようとする課題】
【０００６】
上述した特許文献１では、磁界発生部がカードスロットの外側部分における磁気カード
の磁気ストライプが通過する通過経路を含む領域に磁界を発生させているが、どのような
磁界を発生させているのか具体的に開示されておらず、また、磁界発生部からの磁界を遮
断するように不正磁気読取装置（例えば、磁性体の板等）が設置された場合、不正磁気読
取装置に磁気データを読み取られてしまう場合があるという問題があった。
【０００７】
また、図１１に示すように、磁界の発生時期を磁気情報記録媒体の挿入時および排出時
としている。従って、利用者が磁気情報記録媒体を挿入してから磁気情報記録媒体の挿入
検知までの間（図１１のA）、及び磁気情報記録媒体の排出後から利用者が磁気情報記録
媒体を引き抜くまでの間（図１１のB）は不正磁気読取装置に磁気情報を読取られてしま
うという問題があった。
【０００８】
また、特許文献２では、磁界発生部として挿入口の周囲を囲むように取り付けられたル
ープアンテナを使用し、複数の周波数の磁界を発生させている。しかし、特許文献１の場
合と同様に、磁界を遮断するように不正磁気読取装置が設置された場合には、不正磁気読
取装置に磁気データを読み取られてしまうという問題があった。
【０００９】
本発明の目的は、磁界を遮断するように不正磁気読取装置が設置された場合であっても
、不正磁気読取装置によって磁気記録媒体に記録された磁気データが盗まれることのない
磁気読取装置を提供することにある。
【課題を解決するための手段】
【００１０】
上述した目的を達成するために、本発明にかかる磁気読取装置は、本体に挿入されたカードに記録されている磁気データを読み取る磁気情報読取部と、前記本体に挿入されたカードを搬送するカード搬送部と、前記本体の前面部に設置されたカード挿入口ユニットと、を含む磁気読取装置であって、前記カード挿入口ユニット内に、前記本体の前面に形成された挿入口の周囲を囲むループ状のアンテナが設けられていることを特徴とする。
【発明の効果】
【００１１】
本発明によれば、磁界を遮断するように不正磁気読取装置が設置された場合であっても
、不正磁気読取装置によって磁気記録媒体に記録された磁気データが盗まれることのない
磁気読取装置を提供することが出来る。
【図面の簡単な説明】
【００１２】
【図１】本実施形態にかかる磁気読取装置の主要部の構成を示すブロック図である。
【図２】（ａ）本実施形態にかかる磁気読取装置の内部構造を示す概略図である。（ｂ）挿入口とコアとの位置関係を示す図である。（ｃ）挿入口の上下にループアンテナを配置した場合の礼を示す図である。
【図３】（ａ）磁気読取装置の電源投入後の初期動作の処理手順を示すフローチャートである。（ｂ）異物検知処理の処理手順を示すフローチャートである。
【図４】本実施形態にかかる磁気読取装置がカードの取込動作、または読取動作を行う場合の処理手順を示すフローチャートである。
【図５】本実施形態にかかる磁気読取装置がカードの返却動作を行う場合の処理手順を示すフローチャートである。
【図６】磁界発生部に対してループアンテナに流す電流を増大させるように制御し、発生磁界を大きくする様子を示す図である。
【図７】異物検知部が異物を検知した場合に、磁界制御部が周波数を変化させる様子を示す図である。
【図８】電流計を設置した磁気読取装置の主要部の構成を示すブロック図である。
【図９】コアを設置しない場合におけるカードの取込動作および読取動作の処理手順を示すフローチャートである。
【図１０】（ａ）磁界発生部が挿入口の前面側に対して常に発生させる磁界のタイミングチャートである。（ｂ）図９に示したフローチャートの処理を行った場合に磁界発生部が発生させる磁界のタイミングチャートである。
【図１１】従来技術による磁界の発生時期を示す図である。
【発明を実施するための形態】
【００１３】
以下、図１から図１１を参照して、本発明にかかる磁気読取装置の実施の形態を詳細に
説明する。
【００１４】
図１は、本実施形態にかかる磁気読取装置１の主要部の構成を示すブロック図である。
磁気読取装置１は、本体の動作を制御する制御部（ＣＰＵ）２と、本体に挿入された磁気
カードに記録されている磁気データを読み取る磁気情報読取部３と、本体に挿入されたカ
ードを搬送するカード搬送路４と、カード搬送路４におけるカードの位置を検出するカー
ド位置センサ５と、磁気情報読取部３で読取った磁気情報を記憶するメモリ６と、上位装
置との接続部であるホストインターフェイス７と、本体前面部に設置されたカード挿入口
ユニット２４と、カード挿入口ユニット２４内に設置され、磁界を発生させる磁界発生部
８と、磁界発生部８の動作を制御する磁界制御部９と、カード挿入口ユニット２４内に設
置され、磁気読取装置１の外側に設置された異物を検知する異物検知部１０と、異物検知
部１０の動作を制御する異物検知制御部１１と、カードの搬送を制御するカード搬送制御
部４０と、利用者を検知するための顧客検知センサ５０と、を含んで構成されている。
【００１５】
図２（ａ）は、本実施形態にかかる磁気読取装置１の内部構造を示す概略図である。図
２（ａ）において、符号２１は磁気カード（以下、カード２１と言う。）である。磁気読
取装置１本体の前面には、カード２１を挿入する挿入口２２が形成されている。挿入口２
２の近くには、挿入口２２に挿入されたカード２１を検出する挿入検知センサ２３が設け
られている。この挿入検知センサ２３は、押圧センサであり、挿入口２２から挿入された
カード２１によって押圧される位置に配置されている。
【００１６】
また、カード２１を挟持して搬送する一対の搬送ローラ２５〜２８がカード２１の搬送
方向に並べられている。磁気読取装置１は、カード搬送路４として、これらの搬送ローラ
２５〜２８により、カード２１の搬送路を形成している。一対の搬送ローラ２５〜２８は
、それぞれ一方がモータの回転力が伝達される駆動ローラであり、他方がこの駆動ローラ
に従動して回転する従動ローラである。搬送ローラ２５〜２８を駆動するモータ（不図示
）は、１つである。
【００１７】
カード搬送制御部４０は、このモータの回転（回転方向、回転速度を含む）、停止を制
御することにより、カード２１の取り込み、およびカードの排出（返却）を行う。磁気情
報読取部３は、搬送ローラ２５〜２８により形成されたカード搬送路４を搬送されている
カード２１の磁気ストライプに記録されている磁気情報を読み取る磁気ヘッド２９を有し
ている。また、カード２１の有無を検出するセンサ３０〜３３がカード２１の搬送路に沿
って並べられている。センサ３０〜３３の配置間隔は、カード２１の搬送方向の長さより
も短い。センサ３０〜３３は、発光部と受光部（いずれも不図示）とからなる光センサで
あり、搬送路を挟んで発光部と受光部とを対向させて配置している。
【００１８】
センサ３０は、挿入口２２に最も近い搬送ローラ２５にカード２１が挟持されたことを
検出するためのものである。また、センサ３３は、本体に挿入されたカード２１が、カー
ド２１を一時的に保持する貯留部（不図示）に達したことを検出するためのものである。
センサ３１、３２は、カード搬送路４を搬送されているカード２１の位置を検出するため
のものである。挿入検知センサ２３、およびセンサ３０〜３３の検出結果により、本体に
カード２１が挿入されているかどうか、および搬送路におけるカード２１の位置を検出す
る。また、磁気ヘッド２９とセンサ３３との配置間隔は、カード２１の搬送方向の長さよ
りも少し長くしているので、カード２１が貯留部に達した際、すなわちカード２１の先端
がセンサ３３に検出される位置に達した際には、磁気データ読取部３がカード２１ に記
録されている磁気データの読み取りを完了している。
【００１９】
なお、磁気読取装置１の前面には、異物検知センサ３６が設けられ、挿入口２２の前に
異物が設置された場合に、異物を検知した旨の信号（検知信号）を制御部２に対して出力
する。
【００２０】
磁気読取装置１の前面には、挿入口２２の周囲を囲むようにコア３４が設置されている
。図２（ａ）のうちの左部分の図は、コア３４が挿入口２２の周囲を囲む様子を示す図で
ある。挿入口２２には、その周囲を囲むように、ループアンテナ３５（導体を１回または
複数回ループ状に巻いたアンテナ）が設けられている。コア３４の素材はフェライト等の
透磁率が大きい素材である。図２（ｂ）は、挿入口２２とコア３４との位置関係を示す図
である。図２（ｂ）に示すように、コア３４は挿入口２２の周囲を囲み、ループアンテナ
３５の後方（磁気読取装置１の磁気ヘッド２９側）を覆うような形状をしている。ループ
アンテナ３５は、コア３４を囲むように設けられている。ループアンテナ３５の両端に磁
界制御部９から駆動信号が印加されると、ループアンテナ３５は、挿入口２２周辺に磁界
を発生させる。この磁界は、挿入口２２の前面に取り付けられた不正磁気情報読取装置に
よる磁気カード２１の磁気情報の窃取を妨害する。
【００２１】
コア３４は、図２（ａ）に示したようにＬ字型（または逆Ｌ字型）の形状で配置され、
ループアンテナ３５から磁気読取装置１の内部方向に放射される磁界を吸収し、挿入口２
２側へ放射する。したがって、コア３４を設けたことによって、ループアンテナ３５から
放射されている磁界が磁気読取装置１の内部に及ぼす影響を抑えることができる。すなわ
ち、挿入口２２から挿入されて搬送路上を搬送されるカード２１や磁気ヘッド２９に対す
る磁界の影響を抑えることができるので、磁気ヘッド２９は、磁界の影響を受けることな
くカード２１の磁気情報を読み取ることができる。
【００２２】
また、コア３４は上述した形状で配置されているので、挿入口２２の前面側に放射され
る磁界を大きくすることが出来る。また、このようなコア３４を常設することによって、
図１０（ａ）に示すように、挿入口２２の前面側に対して磁界を常に発生させておくこと
が可能である。さらに、後述するように、ループアンテナ３５から放射させる磁界を変化
させて大きくすることが出来るので、ループアンテナ３５に流す電流を小さくすることが
可能となり、磁気読取装置１本体が消費する電力を抑えることができる。
【００２３】
なお、以下の説明では、コア３４を囲むようにしてループアンテナ３５が配置されてい
るが、図２（ｃ）に示すように、挿入口２２の上下（または左右等の対称な位置）にルー
プアンテナ３５を配置することとしてもよい。この場合、ループアンテナ３５の数に応じ
て磁界発生部８を複数設け、コア３４を囲むようにしてループアンテナ３５を配置した場
合に比べて大きい磁界を発生させるため、より効果的に不正磁気読取装置を妨害すること
が出来る。さらには、図２（ｃ）に示す場合において、磁界制御部９が、複数の磁界発生
部８から周波数が各々異なる磁界を発生させるように設定してもよい。この場合、周波数
の低い磁界は鉄損によって失われるエネルギーが小さくなり、より効果的に不正磁気読取
装置を妨害することが出来る。
【００２４】
次に、本実施形態にかかる磁気読取装置１の動作について説明する。図３（ａ）は、磁
気読取装置１の電源投入後の初期動作の処理手順を示すフローチャートである。電源投入
後、磁気読取装置１の磁界制御部９は磁界発生部８を駆動し、挿入口２２の周辺に磁界を
発生させる（ステップＳ１）。さらに、磁気読取装置１の異物検知制御部１１は異物検知
センサ３６を駆動し(ステップＳ２)、異物検知処理を開始する。
【００２５】
図３（ｂ）は、異物検知処理の処理手順を示すフローチャートである。図３（ｂ）に示
すように、異物検知処理では、まず、異物検知制御部１１は、異物検知センサ３６が異物
を検知したか否かを判定する（ステップＳ３１）。そして、異物検知制御部１１は、異物
検知センサ３６が異物を検知したと判定した場合（ステップＳ３１；Ｙｅｓ）、磁界制御
部９は、図６に示すように、磁界発生部８に対してループアンテナ３５に流す電流を増大
させるように制御し、発生磁界を大きくする（ステップＳ３２）。一方、異物検知制御部
１１は、異物検知センサ３６が異物を検知していないと判定した場合（ステップＳ３１；
Ｎｏ）、そのまま待機する。
【００２６】
その後、異物検知制御部１１は、異物検知センサ３６が異物を検知しなくなったか否か
を判定し（ステップＳ３３）、異物検知センサ３６が異物を検知しなくなったと判定した
場合（ステップＳ３３；Ｎｏ）、磁界制御部９は、ループアンテナ３５に流す電流を元に
戻すように磁界発生部８を制御し（ステップＳ３４）、処理を終了させる。なお、異物検
知センサ３６が異物を検知していると判定した場合（ステップＳ３３；Ｙｅｓ）、磁界制
御部９は、ループアンテナ３５に流す電流の大きさを維持させる。このステップＳ３４が
終了すると、図３（ａ）、図３（ｂ）に示した全ての処理が終了する。
【００２７】
図６に示す例では、磁界発生部８は、異物検知センサ３６が異物を検知する前の駆動電
流の値Ｐ１に比べ、より大きい値Ｐ２となるように駆動電流を増大させ、その後、異物検
知センサ３６が異物を検知しなくなると、磁界発生部８は、異物検知センサ３６が異物を
検知する前の元の駆動電流の値Ｐ１となるように駆動電流を減少させている。このように
、異物検知センサ３６が異物を検知した場合に磁界を大きくすることによって、挿入口２
２の前方に不正磁気読取装置（例えば、磁性体の異物）が置かれた場合であっても、その
不正磁気読取装置による磁気読取装置１に対するスキミング等の不正行為を妨害すること
が出来る。
【００２８】
図４は、本実施形態にかかる磁気読取装置１がカード２１の取込動作、または読取動作
を行う場合の処理手順を示すフローチャートである。以下、このフローチャートに沿って
説明するが、磁気読取装置１では、挿入検知センサ２３及びセンサ３０〜３３によって、
カード２１が検出されていない状態であるものとする。また、磁界発生部８は、ループア
ンテナ３５に駆動電流を流しており、ループアンテナ３５からは磁界を放射しているもの
とする。
【００２９】
図４に示すように、制御部２は、挿入検知センサ２３がカード２１を検知したか否かを
判定し（ステップＳ４１）、挿入検知センサ２３がカード２１を検知したと判定すると（
ステップＳ４１；Ｙｅｓ）、カード２１が挿入されたと判定し、カード搬送制御部４０は
、搬送ローラ２５〜２８の回転を開始させる（ステップＳ４２）。一方、制御部２は、挿
入検知センサ２３がカード２１を検知していないと判定すると（ステップＳ４１；Ｎｏ）
、そのまま待機する。
【００３０】
なお、上述したステップＳ４２の処理では、搬送ローラ２５〜２８は、挿入されたカー
ド２１を本体内部に取り込む方向（以下、正方向と言う。）に回転する。この後、カード
搬送制御部４０は、カード２１を貯留部まで一定速度で搬送させる。カード搬送制御部４
０がカード２１を貯留部へ搬送しているときに、磁気ヘッド２９がカード２１の磁気スト
ライプに当接し、磁気情報読取部３は、このカード２１に記録されている磁気データを読
み取る（ステップＳ４３）。
【００３１】
制御部２は、搬送ローラ２８の隣に配置されたセンサ３３がカード２１を検出したか否
かを判定し（ステップＳ４４）、搬送ローラ２８の隣に配置されたセンサ３３がカード２
１を検出したと判定した場合（ステップＳ４４；Ｙｅｓ）、搬送されたカード２１が後端
に達したと判定し、カード搬送制御部４０は、搬送ローラの回転を停止させる（ステップ
Ｓ４５）。一方、搬送ローラ２８の隣に配置されたセンサ３３がカード２１を検出してい
ないと判定した場合（ステップＳ４４；Ｎｏ）、そのまま待機する。このステップＳ４５
が終了すると、図４に示した全ての処理が終了する。
【００３２】
次に、貯留部に貯留したカード２１を利用者に返却するときの動作（カード返却動作）
について説明する。図５は、本実施形態にかかる磁気読取装置１がカード２１の返却動
作を行う場合の処理手順を示すフローチャートである。
【００３３】
まず、カード搬送制御部４０は、搬送ローラ２５〜２８の回転を開始する（ステップＳ
５１）。ステップＳ５１では、カード搬送制御部４０は、搬送ローラ２５〜２８を、カー
ド２１を貯留部から挿入口２２へ搬送する方向（以下、逆方向と言う。）に回転させ、カ
ード２１が一定速度で挿入口２２まで搬送される。このときも、磁界制御部９は、磁界発
生部８に対してループアンテナ３５から妨害磁界を放射させるように制御している。制御
部２は、搬送ローラ２５の隣に配置されたセンサ３０がカード２１の後端を検出したか否
かを判定する（ステップＳ５２）。
【００３４】
そして、制御部２が、搬送ローラ２５の隣に配置されたセンサ３０がカード２１の後端
を検出したと判定した場合（ステップＳ５２；Ｙｅｓ）、カード搬送制御部４０は、逆方
向に回転されている搬送ローラ２５〜２８の回転を停止させる（ステップＳ５３）。一方
、制御部２が搬送ローラ２５の隣に配置されたセンサ３０がカード２１の後端を検出して
いないと判定した場合（ステップＳ５２；Ｎｏ）、そのまま待機する。なお、ここでは、
カード２１の先端および後端を、カード２１の搬送方向に基づいて説明しているため、上
述したカード２１の取込動作および読取動作時におけるカード２１の後端が、このカード
返却時におけるカード２１の先端となっている。
【００３５】
制御部２は、センサ３０がカード２１を検出している状態からカード２１を検出してい
ない状態に変化したか否かを判定し（ステップＳ５３）、センサ３０がカード２１を検出
している状態からカード２１を検出していない状態に変化した、すなわちセンサ３０がカ
ード２１の後端を検出したと判定した場合（ステップＳ５３；Ｙｅｓ）、カード搬送制御
部４０は、搬送ローラ２５〜２８を停止させてカード２１の搬送が停止する（ステップＳ
５４）。一方、制御部２は、センサ３０がカード２１の後端を検出していないと判定した
場合（ステップＳ５３；Ｎｏ）、そのまま待機する。これらの処理においては、カード２
１は搬送ローラ２５に挟持されており、また、その先端部分が挿入口２２から外側に突出
している。したがって、利用者は、挿入口２２から突出しているカード２１の先端部分を
つかんで抜き取ることができる。
【００３６】
制御部２は、挿入検知センサ２３がカード２１を検出している状態からカード２１を検
出していない状態に変化したか否かを判定し（ステップＳ５５）、挿入検知センサ２３が
カード２１を検出している状態からカード２１を検出していない状態に変化した、すなわ
ちカード２１が抜き取られたと判定した場合（ステップＳ５５；Ｙｅｓ）、制御部２は、
処理を終了させる。一方、制御部２は、カード２１が抜き取られていないと判定した場合
（ステップＳ５５；Ｎｏ）、そのまま待機する。このステップＳ５５の処理が終了すると
、図５に示した全ての処理が終了する。
【００３７】
上述した実施の形態においては、ループアンテナ３５に対して流す電流値を増大させる
ことによってループアンテナ３５に生じさせる磁界を変化させることとしたが、異物検知
部９が異物を検知した場合に、磁界制御部９が発生させる駆動電流の周波数を変化させる
こととしてもよい。
【００３８】
図７は、異物検知部１０が異物を検知した場合に、磁界制御部９が周波数を変化させる
様子を示す図である。図７に示すように、異物検知部１０が異物を検知すると、磁界制御
部９はループアンテナ３５への駆動電流の周波数の値をF２からF２よりも低いF１に設定
する。このように駆動電流の周波数の値をF２からF２よりも低いF１に設定することによ
って、ループアンテナ３５から発生する磁界の周波数が低くなる。したがって、挿入口２
２の前に置かれた異物が磁性体であった場合、鉄損によって失われるエネルギーが小さく
なり、挿入口２２の前方に設置された不正磁気読取装置による磁気読取装置１に対するス
キミング等の不正行為を妨害することが出来る。
【００３９】
また、上記実施形態では異物検知センサ３６を設けたが、これに変えてループアンテナ
３５の電流値を計測する電流計１２を設置しても良い。図８は、電流計１２を設置した磁
気読取装置１の主要部の構成を示すブロック図である。ループアンテナ３５を流れる電流
値を電流計１２で計測することにより、ループアンテナ３５の前面に鉄板やフェライト等
の透磁率が高い異物が取り付けられたことを検出する。透磁率の高い異物が取り付けられ
ると、ループアンテナ３５のインダクタンスが変化する。この結果、透磁率の高い異物が
取り付けられてない場合に比べて電流値が変化する。この場合、磁界制御部９は、計測さ
れた電流値があらかじめ定められた範囲内であるか否かを判定し、計測された電流値があ
らかじめ定められた範囲内ではないと判定した場合は、磁界制御部９は異物が取り付けら
れたと判断し、駆動電流を増やしてループアンテナ３５から発生させる磁界を大きくする
ことが可能となる。
【００４０】
さらに、上述した実施の形態においては、コア３４を用いて、磁気ヘッド２９によるカ
ード２１の磁気情報の読み取りが妨害されることを防いでいるが、コア３４を設置しない
構成としても良い。図２（ａ）に示したようなコア３４を設置しない場合、ループアンテ
ナ３５からの磁界が磁気ヘッド２９側に放射されることを物理的に防ぐことはできない。
しかし、カード２１の取り込みや読取動作を行う際に、磁界制御部９が発生させている磁
界を変化させることによって、ループアンテナ３５から放射される磁界によって磁気ヘッ
ド２９がカード２１の読取動作を行う際の影響を防ぐことが可能となる。
【００４１】
図９は、コア３４を設置しない場合におけるカード２１の取込動作および読取動作の処
理手順を示すフローチャートである。以下、このフローチャートに沿って説明するが、磁
気読取装置１は、挿入検知センサ２３及びセンサ３０〜３３においてカード２１が検出さ
れていない状態であるものとする。また、磁界発生部８は、ループアンテナ３５に駆動電
流を流しており、ループアンテナ３５からは磁界を放射しているものとする。
【００４２】
図９に示すように、制御部２は、挿入検知センサ２３がカード２１を検知したか否かを
判定する（ステップＳ９１）。そして、制御部２は、挿入検知センサ２３がカード２１を
検知したと判定した場合（ステップＳ９１；Ｙｅｓ）、カード２１が挿入されたと判定し
、カード搬送制御部４０は、搬送ローラ２５〜２８が正方向に回転を開始するように制御
する（ステップＳ９２）。この後、カード搬送制御部４０は、カード２１を貯留部まで一
定速度で搬送し、カード搬送制御部４０がカード２１を貯留部まで搬送しているときに、
センサ３０〜３３上を通過する。
【００４３】
制御部２は、磁気ヘッド２９より挿入口２２に近い側に設置されたセンサ３１がカード
２１を検出したか否かを判定し（ステップＳ９３）、磁気ヘッド２９より挿入口２２に近
い側に設置されたセンサ３１がカード２１を検出したと判定した場合（ステップＳ９３；
Ｙｅｓ）、ループアンテナ３５への駆動信号を停止させ、磁界の発生を停止させる（ステ
ップＳ９４）。センサ３１と挿入口２２の距離はカード２１よりも長くなっているため、
磁界発生を停止しても、挿入口２２の前に設置された不正磁気読取装置に磁気情報を読取
られることは無い。一方、磁気ヘッド２９より挿入口２２に近い側に設置されたセンサ３
１がカード２１を検出していないと判定した場合（ステップＳ９３；Ｎｏ）、そのまま待
機する。
【００４４】
その後、磁気ヘッド２９がカード２１の磁気ストライプに当接し、磁気情報読取部３は
、このカード２１に記録されている磁気データを読み取る（ステップＳ９５）。制御部２
は、搬送ローラ２８の隣に配置されたセンサ３３がカード２１を検出したか否かを判定し
（ステップＳ９６）、センサ３３がカード２１を検出したと判定した場合（ステップＳ９
６；Ｙｅｓ）、カード２１が後端に達したと判定し、カード搬送制御部４０は、搬送ロー
ラの回転を停止させる（ステップＳ９７）。その後、磁界発生部８は、制御部２からの指
示に応じてループアンテナ３５への駆動信号を印加し、ループアンテナ３５は再び磁界を
発生させる（ステップＳ９８）。カード返却動作については、図５に示したフローチャー
トと同様の処理を行うためここではその説明を省略する。
【００４５】
図１０（ｂ）は、図９に示したフローチャートの処理を行った場合における磁界発生の
タイミングチャートである。図１０（ｂ）に示すように、センサ３１がカード２１の先端
を検知した場合に、磁界制御部９はループアンテナ３５から発生する磁界を停止させ、そ
の後、センサ３３がカード２１の後端を検知した場合に、再び磁界制御部９はループアン
テナ３５から磁界を発生させている。このように、コア３４が設置されていない場合であ
っても、磁気ヘッド２９がカード２１の磁気データを読み取る間（センサ３１およびセン
サ３３によってカード２１が検知されている間）のみループアンテナ３５から発生する磁
界を停止させるので、カード２１が挿入される際またはカード２１が排出される際の不正
磁気読取装置による磁気読取装置１に対するスキミング等の不正行為を妨害することが出
来る。
【００４６】
このように、異物検知部１０が、カード２１の挿入または排出を行う挿入口２２付近に
不正磁気読取装置があるか否かを検知し、挿入口２２付近に、不正磁気読取装置から出さ
れる磁界を妨げるための妨害磁界を発生させる磁界発生部８と、磁界制御部９が、異物検
知部１０が不正磁気読取装置を検知したか否かを判定し、異物検知部１０が不正磁気読取
装置を検知したと判定した場合に、磁界発生部８が発生させている妨害磁界の強度を変位
させるので、磁界を遮断するように不正磁気読取装置が設置された場合であっても、不正
磁気読取装置によって磁気記録媒体に記録された磁気データが盗まれることがない。
【００４７】
例えば、磁性体の板を用いて磁界を遮断する不正磁気読取装置が磁気読取装置周辺に設
置された場合であっても、異物検知部１０が不正磁気読取装置を検出し、磁界発生部８か
ら発生させる磁界を大きくするので、不正磁気読取装置を妨害することが出来る。また、
異物検知部１０が不正磁気読取装置を検出したタイミングで磁界を大きく変位させている
ので、カード２１が挿入されてからカード２１の挿入を検知するまでの間に、不正磁気読
取装置によってカード２１の磁気データが盗まれることもない。
【００４８】
さらに、図２（ｃ）に示したように、磁界発生部８を複数設け、異物検知部１０が不正磁気読取装置等の異物を検知した際に複数の磁界発生部から各々磁界を発生させるように構成したので、上述したような不正磁気読取装置が設置された場合であっても、異物検知部１０が不正磁気読取装置を検出し、複数の磁界発生部８から磁界を発生させることで、発生させる磁界を大きくし、不正磁気読取装置を妨害することが出来る。
【００４９】
また、磁界制御部９は、異物検知部１０で異物を検知した際に、発生させた磁界の周波
数を変位させるので、上述したような不正磁気読取装置が設置された場合に、鉄損によっ
て失われるエネルギーが小さくなるように周波数を変位させ、不正磁気読取装置を妨害す
ることが出来る。
【００５０】
さらに、複数の磁界発生部８から発生させる磁界の周波数が各々異なるように設定され
ているので、例えば、磁性体の板を用いて磁界を遮断する不正磁気読取装置が設置された
際、周波数の低い磁界は鉄損によって失われるエネルギーが小さくなり、不正磁気読取装
置を妨害することが出来る。
【００５１】
また、異物検知部１０が異物を検知したときのみ、磁界発生部８から磁界を発生させる
ので、不正磁気読取装置が設置された状態にある場合に、カード２１に記録された磁気情
報の盗難を妨害することが出来る。また、不正磁気読取装置が設置されていない場合には
、磁界を発生させることがないため、電力を無駄に消費することもない。
【００５２】
上述した実施の形態においては、異物検知部１０が不正磁気読取装置を検出し、磁界制
御部９が、磁界発生部８が発生させる磁界の大きさを制御しているが、例えば、顧客検知
センサ５０が、赤外線等によって利用者を検知した場合に、磁界制御部９が、磁界発生部
８が発生させる磁界を大きくするように変位させてもよい。この場合、利用者がカード２
１を磁気読取装置１に近づけた際（磁気読取装置１に挿入する前）における不正磁気読取
装置によるカード２１の磁気情報の盗難を妨害することが出来る。
【００５３】
なお、本発明は、上記実施の形態そのままに限定されるものではなく、実施段階ではそ
の要旨を逸脱しない範囲で構成要素を変形して具体化することができる。また、上記実施
の形態に開示されている複数の構成要素の適宜な組み合わせにより、種々の発明を形成す
ることができる。例えば、実施の形態に示される全構成要素からいくつかの構成要素を削
除してもよい。さらに、異なる実施の形態にわたる構成要素を適宜組み合わせても良い。
【符号の説明】
【００５４】
１…磁気読取装置
２…制御部（ＣＰＵ）
３…磁気情報読取部
４…カード搬送路
５…カード位置センサ
６…メモリ
７…ホストインターフェイス
８…磁界発生部
９…磁界制御部
１０…異物検知部
１１…異物検知制御部
１２…電流計
２１…磁気カード
２２…カード挿入口
２３…カード挿入検知センサ
２４…カード挿入口ユニット
２９…磁気ヘッド
３４…磁性体コア
３５、３５ａ、３５ｂ…ループアンテナ
３６…異物検知センサ
４０…カード搬送制御部
５０…顧客検知センサ。
【図１】
0005603401.tif 000002
【図２】
0005603401.tif 000003
【図３】
0005603401.tif 000004
【図４】
0005603401.tif 000005
【図５】
0005603401.tif 000006
【図６】
0005603401.tif 000007
【図７】
0005603401.tif 000008
【図８】
0005603401.tif 000009
【図９】
0005603401.tif 000010
【図１０】
0005603401.tif 000011
【図１１】
0005603401.tif 000012